(57)【要約】 【課題】  球噛みの発生を防止する球払出装置を備えた遊技機を提供する。【解決手段】  球Ｂを受ける球受部７２，７６を有する球送出体７０の回転によって、球通路４０の球供給口４５ａから供給される球Ｂを球受部７２，７６に受けて払出す球払出装置２０を備える。球払出装置２０の縦変位側の球噛み防止部４８は、球通路４０の下流側端部の一部を形成する縦変位部４７を備えるとともに、縦変位部４７を球通路４０の上流方向へ変位可能とする弾性を有する。また、球払出装置２０の横変位側の球噛み防止部４２は、球通路４０の通路側壁４１の一部を形成する横変位部（４２）を備えるとともに、横変位部（４２）を球通路４０の外側方向へ変位可能とする弾性を有する。【選択図】    図８
2010115521.tif 000002
【特許請求の範囲】
【請求項１】
球を受ける球受部を有する球送出体の回転によって、球通路の球供給口から供給される球を前記球受部に受けて払出す球払出装置を備え、
前記球払出装置には、縦変位側の球噛み防止部が設けられ、
前記縦変位側の球噛み防止部は、前記球通路の下流側端部の一部を形成する縦変位部を備えるとともに、その縦変位部を前記球通路の上流方向へ変位可能とする弾性を有している遊技機。
【請求項２】
球を受ける球受部を有する球送出体の回転によって、球通路の球供給口から供給される球を前記球受部に受けて払出す球払出装置を備え、
前記球払出装置には、横変位側の球噛み防止部が設けられ、
前記横変位側の球噛み防止部は、前記球通路の一部を形成する横変位部を備えるとともに、その横変位部を前記球通路の外側方向へ変位可能とする弾性を有している遊技機。
【請求項３】
請求項１に記載の遊技機であって、
前記球払出装置には、縦変位側の球噛み防止部の上流側に位置する横変位側の球噛み防止部が設けられ、
前記横変位側の球噛み防止部は、前記球通路の一部を形成する横変位部を備えるとともに、その横変位部を前記球通路の外側方向へ変位可能とする弾性を有している遊技機。
【請求項４】
請求項１〜３のいずれかに記載の遊技機であって、
前記縦変位部又は前記横変位部が、前記球供給口の一部を形成している遊技機。
【請求項５】
請求項４に記載の遊技機であって、
前記縦変位部又は前記横変位部の下流側端部には、球供給口側において下流方向へ突出する突出部が設けられている遊技機。
【請求項６】
請求項１〜５のいずれかに記載の遊技機であって、
前記縦変位側の球噛み防止部及び／又は前記横変位側の球噛み防止部は、それ自体が弾性変形可能に形成されている遊技機。
【請求項７】
請求項６に記載の遊技機であって、
前記縦変位側の球噛み防止部及び／又は前記横変位側の球噛み防止部が、前記球払出装置の固定側の部材に対し片持ち状に設けられている遊技機。
【請求項８】
請求項１〜７のいずれかに記載の遊技機であって、
前記縦変位側の球噛み防止部及び／又は前記横変位側の球噛み防止部が、前記球払出装置の固定側の部材と一体に形成されている遊技機。
【発明の詳細な説明】
【技術分野】
【０００１】
この発明は、球を払出す球払出装置を備えたパチンコ機、アレンジボール等の遊技機に関する。
【背景技術】
【０００２】
遊技機には、例えば、賞球数に対応する球（賞球という）の払出しと、貸球数に対応する球（貸球という）の払出しを行う球払出装置を備えたパチンコ機がある。前記球払出装置には、球を受ける複数（例えば、各列６個で２列の計１２個）の球受部を外周部に有するスプロケット状の球送出体を有し、その球送出体の正逆回転によって、前記球受部に球を受け、その球を賞球又は貸球に振分けて払出すものが知られている。なお、賞球又は貸球に振分けられた球が別々に通る各通路には、通過する球を検出する検出手段がそれぞれ配置されている。その各検出手段により球が検出されることにより、球払出装置から払出される球が賞球かあるいは貸球かが認識される。
【発明の概要】
【発明が解決しようとする課題】
【０００３】
しかしながら、球を球受部に適正に受けていない状態で、球送出体が回転すると、「球噛み」といった不具合を発生することがある。なお、本明細書でいう「球噛み」とは、球通路の球供給口と球送出体の球受部との間に球の一部が入り込むことによって発生する球の噛み込み現象をいう。
【０００４】
前記球通路の通路側壁を有する部材や前記球送出体は、合成樹脂等によって高い剛性をもって形成されているのが一般的である。したがって、一旦、球噛みが発生すると、球送出体がロックされて回転不能に陥るため、球の払出しができなくなる。また、球噛みによる球送出体のロックは、例えば、球送出体を手動で反転させるとか、球送出体の回転駆動源である払出用モータを回転制御することによって球送出体を繰り返し正逆回転させる等の処理によって解除しているのが現状である。しかし、いずれにしても、処理中は、球払出装置の払出機能が停止するため、パチンコ機の稼働率が低下することになる。
【０００５】
この発明の目的は、球噛みの発生を防止することのできる球払出装置を備えた遊技機を提供することにある。
【課題を解決するための手段】
【０００６】
前記目的を達成するために、第１の発明に係る遊技機は、特許請求の範囲の請求項１に記載のとおりの構成を要旨とする。このように構成すると、球払出装置は、球送出体の回転によって、球通路の球供給口から供給される球を球送出体の球受部に受けて払出す。ところで、球送出体が球受部に球を適正に受けていない状態で回転し、球噛みが発生するような場合には、縦変位側の球噛み防止部における縦変位部の下流側端部の下側に入り込んだ球が、球送出体の回転にともなって球通路の上流方向へ押上げられる。これにともない、縦変位側の縦変位部が、その球噛み防止部の弾性を利用して球通路の上流方向へ一時的に変位して球噛み状態を回避する。また、その球噛み防止部の弾性復元により球噛みを発生する球が球送出体の球受部に押し戻されて適正に受けられることによって、球噛みの発生が防止される。なお、縦変位部は、球噛みを発生する球あるいはその球に後続の球で球噛み時に球通路の上流方向へ押上げられる球（詳しくは球の一部）が下側に入り込む位置に配置されるものとする。
【０００７】
また、第２の発明に係る遊技機は、特許請求の範囲の請求項２に記載のとおりの構成を要旨とする。このように構成すると、球払出装置は、球送出体の回転によって、球通路の球供給口から供給される球を球送出体の球受部に受けて払出す。ところで、球送出体が球受部に球を適正に受けていない状態で回転し、球噛みが発生するような場合には、横変位側の球噛み防止部における横変位部の内側に位置する球が、球送出体の回転にともなって球通路の外側方向へ押し退けられる。これにともない、横変位側の横変位部が、その球噛み防止部の弾性を利用して球通路の外側方向へ一時的に変位して球噛み状態を回避する。また、その球噛み防止部の弾性復元により球噛みを発生する球が球送出体の球受部に押し戻されて適正に受けられることによって、球噛みの発生が防止される。なお、横変位部は、球噛みを発生する球あるいはその球に後続の球で球噛み時に球通路の外側方向へ押し退けられる球が内側に存在する位置に配置されるものとする。
【０００８】
また、第３の発明に係る遊技機は、特許請求の範囲の請求項３に記載のとおりの構成を要旨とする。このように構成すると、球送出体が球受部に球を適正に受けていない状態で回転し、球噛みが発生するような場合には、縦変位側の縦変位部が、その球噛み防止部の弾性を利用して球通路の上流方向へ一時的に変位したのち、その球噛み防止部の弾性復元により復帰する。これとともに、縦変位側の球噛み防止部の上流側に位置する横変位側の球噛み防止部における横変位部の内側に位置する球が、球送出体の回転にともなって球通路の外側方向へ押し退けられる。これにともない、横変位側の横変位部が、その球噛み防止部の弾性を利用して球通路の外側方向へ一時的に変位したのち、その球噛み防止部の弾性復元により復帰する。したがって、縦変位側の球噛み防止部と横変位側の球噛み防止部との協働によって、球噛みの発生が効果的に防止される。なお、横変位部は、球噛みを発生する球に後続の球で球噛み時に球通路の外側方向へ押し退けられる球が内側に存在する位置に配置されるものとする。
【０００９】
また、第４の発明に係る遊技機は、特許請求の範囲の請求項４に記載のとおりの構成を要旨とする。このように構成すると、球供給口に対し球噛みを発生する球が、その球供給口の一部を形成する縦変位部又は横変位部の下流側端部に当接する。したがって、当該変位部によって、球噛みを発生する球自体を直接的に球送出体の球受部に押し戻すことができる。
【００１０】
また、第５の発明に係る遊技機は、特許請求の範囲の請求項５に記載のとおりの構成を要旨とする。このように構成すると、球供給口に対し球噛みを発生する球が、縦変位部又は横変位部に設けられた突出部によって堰き止められることにより、当該変位部の下流側端面への球の回り込みが防止される。これにより、球噛みの発生を効果的に防止することができる。
【００１１】
また、第６の発明に係る遊技機は、特許請求の範囲の請求項６に記載のとおりの構成を要旨とする。このように構成すると、縦変位側の球噛み防止部及び／又は横変位側の球噛み防止部のそれ自体の弾性変形によって、球噛みの発生を防止することができる。
【００１２】
また、第７の発明に係る遊技機は、特許請求の範囲の請求項７に記載のとおりの構成を要旨とする。このように構成すると、縦変位側の球噛み防止部及び／又は横変位側の球噛み防止部を球払出装置の固定側の部材に対し片持ち状に設けるといった簡単な構成によって、その球噛み防止部に弾性を付与することができる。
【００１３】
また、第８の発明に係る遊技機は、特許請求の範囲の請求項８に記載のとおりの構成を要旨とする。このように構成すると、縦変位側の球噛み防止部及び／又は横変位側の球噛み防止部を、球払出装置の固定側の部材に別部材を使用することなく設けることができる。これにより、部品点数を削減し、コストを低減することができる。
【発明の効果】
【００１４】
以上述べたように、この発明によれば、縦変位側の球噛み防止部及び／又は横変位側の球噛み防止部の弾性を利用した横変位部及び／又は縦変位部の変位動作によって、球噛みの発生を防止することができる。
【図面の簡単な説明】
【００１５】
【図１】この発明の実施の形態１に係るパチンコ機の背面図である。
【図２】球払出装置の背面図である。
【図３】図２のＩＩＩ−ＩＩＩ線断面図である。
【図４】図２のＩＶ−ＩＶ線断面図である。
【図５】図２のＶ−Ｖ線断面図である。
【図６】図２のＶＩ−ＶＩ線断面図である。
【図７】図３のＶＩＩ−ＶＩＩ線断面図である。
【図８】図７の要部拡大図である。
【図９】１個目の賞球払出し状態を示す要部断面図である。
【図１０】２個目の賞球払出し状態を示す要部断面図である。
【図１１】１個目の貸球払出し状態を示す要部断面図である。
【図１２】２個目の貸球払出し状態を示す要部断面図である。
【図１３】前側のケース半体の要部内面図である。
【図１４】図１３のＸＩＶ−ＸＩＶ線断面図である。
【図１５】後側のケース半体の要部内面図である。
【図１６】図１５のＸＶＩ−ＸＶＩ線断面図である。
【図１７】球送出体を示す斜視図である。
【図１８】球送出体の正面図である。
【図１９】球送出体の側断面図である。
【図２０】球送出体の背面図である。
【図２１】この発明の実施の形態２を示す要部断面図である。
【図２２】この発明の実施の形態３を示す要部断面図である。
【図２３】この発明の実施の形態４を示す要部断面図である。
【図２４】この発明の実施の形態５を示す要部断面図である。
【発明を実施するための形態】
【００１６】
［実施の形態１］この発明の実施の形態１を図面にしたがって説明する。
実施の形態１は、遊技機の一つであるパチンコ機に本発明を適用したものである。図１にパチンコ機の背面図が示されている。図１において、パチンコ機１の外枠１０の前側（図１において紙面裏側）には、前枠１１がヒンジ手段（図示しない）を介して開閉可能に装着されている。なお、図示しないが、前枠１１には、周知のとおり、ガラス扉、前板、上皿及び下皿、ハンドル装置等が配設されている。
【００１７】
前記前枠１１の後側（図１において紙面表側）には、基枠１２が組付けられている。基枠１２には、遊技盤（図示しない）が着脱可能に組込まれている。遊技盤の周囲は、基枠１２に対し機構板１３（裏セット板、裏機構板等とも呼ばれる）によって押付けられている。また、遊技盤の後側には、球誘導樋（図示しない）が組付けられ、さらにその球誘導樋を覆う裏カバー体１４が開閉可能に組付けられている。裏カバー体１４の後側には、メイン制御基板ボックス１８が装着されている。メイン制御基板ボックス１８内には、メイン制御基板（図示しない）が収納されている。
【００１８】
前記機構板１３は、前記裏カバー体１４を取り囲む枠状に形成されている。機構板１３は、前記基枠１２に対して開閉可能に装着されており、止め具１５によって閉止されている。機構板１３を開いた状態では、前記基枠１２に対し遊技盤（図示しない）を着脱することができる。また、機構板１３を閉じることにより、前記遊技盤が前記基枠１２に押付けられる。なお図示しないが、遊技盤の遊技領域には、周知のとおり、一般入賞口、特定入賞口、ゲート口等を有する役物装置や図柄表示装置等が配設されている。
【００１９】
前記機構板１３の上部には、球タンク１６及びタンクレール１７が装着されている。球タンク１６内には、球（パチンコ球ともいう。符号、Ｂを付す）が貯留されている。タンクレール１７は、傾斜状に設けられている。タンクレール１７の上流側の端部（図１において左端部）は、球タンク１６に接続されている。また、タンクレール１７の下流側の端部（図１において右端部）は、球払出装置２０（後述する）に接続されている。
タンクレール１７は、球タンク１６から流下する球Ｂを前後２列に整列させながら球払出装置２０へ流下させる。なお、前記機構板１３の下部には、音制御基板及びランプ制御基板（図示しない）等を収納したサブ基板ボックス１９が装着されている。
【００２０】
前記機構板１３の片側部（図１において右側部）には、球払出装置２０がビス等（図示しない）によって装着されている。図２に球払出装置２０の背面図、図３に図２のＩＩＩ−ＩＩＩ線断面図、図７に図３のＶＩＩ−ＶＩＩ線断面図が示されている。なお図２は、図３に示されるカバー２０Ａ及び払出用モータ８６（後述する）を排除した球払出装置２０の背面図となっている。
【００２１】
球払出装置２０は、図３に示されるケース２１、球送出体７０、払出用モータ８６、通路切換部材９０、及び、図２に示される各種検出器８１，８２，８３，８８等を備えている。以下に順に詳述する。
図３に示すように、ケース２１は、ほぼ半割状をなす前側のケース半体２２と後側のケース半体３２とを結合することによってほぼ縦長四角形の箱状に形成されている。両ケース半体２２，３２は、例えばねじ手段（図示しない）によって結合されている。また、後側のケース半体３２の後側（図３において左側）には、その背面を覆うカバー２０Ａが着脱可能に取付けられている。両ケース半体２２，３２及びカバー２０Ａは、例えば樹脂成形によってそれぞれ形成されている。
【００２２】
前記前側のケース半体２２と前記後側のケース半体３２との上半部の相互間には、中仕切板３１が挟み付けられている。中仕切板３１により、両ケース半体２２，３２の上半部内が前後２列（図３において右左２列）に分割されている。なお中仕切板３１は、例えばステンレス板材等の金属板で形成されており、その一部が球払出装置２０の外部に電気的に接続されて球通路内を流下する球に帯電した静電気をアースする機能も発揮する。
【００２３】
図７に示すように、前記両ケース半体２２，３２内には、上から下に向けて球Ｂが流下する球通路を構成する上部球通路４０、球振分け室４５、賞球用通路５０、貸球用通路５３、合流通路５７、払出用通路６０、分岐通路６２、球抜通路６８が形成されている。上部球通路４０は、図３に示すように、前記中仕切板３１を間に前後２列として形成されている。また、上から下に向けて球Ｂが流下する球通路を構成する各通路４０，４５，５０，５３，５７，６０，６２，６８は、球Ｂを余裕をもって流下させることのできる通路断面積を有している。
【００２４】
また図７に示すように、球振分け室４５の下端部は、賞球用通路５０及び貸球用通路５３と連通している。また、賞球用通路５０及び貸球用通路５３の下端部には、合流通路５７が連通している。また、合流通路５７の下端部には、払出用通路６０及び球抜通路６８が連通している。また、払出用通路６０の下端部には、分岐通路６２が連通している。
【００２５】
図７において、前記両ケース半体２２，３２の内側には、前記上部球通路４０の一対をなす通路側壁４１と、前記球振分け室４５の一対をなす通路側壁４６と、前記賞球用通路５０及び前記貸球用通路５３の外側壁を形成する一対をなす通路側壁５１，５４と、その通路側壁５１，５４の相互間において賞球用通路５０及び貸球用通路５３を区画する区画壁５５と、前記合流通路５７の一対をなす通路側壁５８と、前記払出用通路６０の一対をなす通路側壁６１、前記分岐通路６２の通路側壁６２ａがそれぞれ形成されている。また、球抜通路６８の一対をなす通路側壁として、払出用通路６０の一方（図７において右側）の通路側壁６１、及び、両ケース半体２２，３２の外周部を囲う囲い壁２３，３３の一部が兼用されている。また、分岐通路６２の通路側壁６２ａとして、両ケース半体２２，３２の囲い壁２３，３３の一部が兼用されている。なお、前側のケース半体２２の囲い壁２３はそのケース半体２２の要部内面図を示した図１３に部分的に示され、また、後側のケース半体３２の囲い壁３３はそのケース半体３２の要部内面図を示した図１５に部分的に示されている。
【００２６】
図２及び図３に示すように、前記後側のケース半体３２の後側下部には、枠制御基板８４が装着されている。枠制御基板８４は、前記メイン制御基板ボックス１８（図１参照）内のメイン制御基板（図示しない）に対し電気的に接続されている。また、枠制御基板８４は、前記カバー２０Ａ（図３参照）で覆われている。枠制御基板８４の集合出力端子８４ａは、カバー２０Ａに設けられた孔２０ａより露出されている（図３参照）。
【００２７】
図３に示される前後２列の前記上部球通路４０は、図７に示すように、ほぼＳ字状に屈曲されている。各上部球通路４０の上流側の各端口４０ａは、前記タンクレール１７（図１参照）の各列の下流側の端口に対し連通されている（図７における二点鎖線１７参照）。これによって、タンクレール１７から流下してくる球Ｂが上部球通路４０へ流入する。
【００２８】
図６に図２のＶＩ−ＶＩ線断面図を示すように、前記上部球通路４０の一対をなす通路側壁４１のうち、上流側の端口４０ａ（図７参照）の近くにおいて下側に位置する通路側壁４１は、各ケース半体２２，３２に形成された支持壁２４，３４を介して上部球通路４０の前後方向（図６において左右方向）の中央付近のみに配置されている。これにより、下側の通路側壁４１に上部球通路４０の内外を連通する開口部２５，３５が形成されている。このため、上流側から上部球通路４０に流下してくる球Ｂとともに落ちてくるゴミを、前記開口部２５，３５を通じてケース外へ容易に排出することができる（図６中、矢印参照）。
【００２９】
図７に示すように、前記ケース２１の上端部には、球切れ検出器８３が配設されている。球切れ検出器８３は、前記タンクレール１７（図１参照）から各上部球通路４０への球Ｂの供給が途切れること（いわゆる球切れ）を検出し、その信号を前記メイン制御基板（図示しない）又は枠制御基板８４（図３参照）に出力する。これに基づいて、メイン制御基板又は枠制御基板８４は、パチンコ機１（図１参照）の所定位置に設置されている球切れ報知用ランプ（図示しない）を点灯させて、貸球、賞球いずれの払出しをも即座に停止する。これにより、球切れ時において、上部球通路４０の球切れ検出器８３の近辺に最後尾の球がきた状態で、球送出体７０の回転動作が停止される。
【００３０】
図７に示すように、両ケース半体２２，３２には、前記上部球通路４０の下流側の端口（上部球供給口ともいう）４０ｂを形成する両通路側壁４１の下端部を取り囲む上部開口孔２６，３６が形成されている。また、両通路側壁４１の各下端部は、それぞれ片持ち状をなす第１の撓み片４２として、その横幅（図３において左右方向の幅）の小さい突片状に一体形成されており、それ自体が球通路（本実施の形態の場合、上部球通路４０が相当する）の外側方向へ弾性変形いわゆる撓み変形可能になっている。なお、図７の要部拡大図を示した図８には、両通路側壁４１の各第１の撓み片４２の弾性変形状態が二点鎖線４２で示されている。また、両通路側壁４１の各第１の撓み片４２は、前側のケース半体２２の要部内面図を示した図１３、図１３のＸＩＶ−ＸＩＶ線断面図を示した図１４、後側のケース半体３２の要部内面図を示した図１５、図１５のＸＶＩ−ＸＶＩ線断面図を示した図１６によく示されている。
【００３１】
上記のように形成された第１の撓み片４２は、本明細書でいう「球通路の一部を形成する横変位部」に相当するととともに、「横変位部を球通路の外側方向へ変位可能とする弾性を有する横変位側の球噛み防止部」に相当する。また、各ケース半体２２，３２は本明細書でいう「球払出装置の固定側の部材」に相当する。
【００３２】
図１３及び図１５に示すように、両第１の撓み片４２の下端部の外側面には先細りのテーパ状をなす斜面４２ａが形成されている。これにより、両第１の撓み片４２の下流側端部には、球通路（上部球通路４０）側において下流方向へ突出する突出部（符号、４１Ａを付す）が断面先鋭状に形成されている。なお上部球供給口４０ｂは、球振分け室４５の下部球供給口（後述する）４５ａに対してほぼ同心状に隣接している。
【００３３】
図２のＶ−Ｖ線断面図を示した図５に示すように、前記球振分け室４５の中央部には、球送出体７０が配設されている。この球送出体７０は、遊技盤（図示しない）の各種入賞口に球Ｂが入ったときの賞球数に対応する数の球Ｂを払い出す機能と、パチンコ機１（図１参照）に設置された貸球機（図示しない）から出力される貸球数に対応する数の球Ｂを払い出す機能とを備える。球送出体７０は、前記前側のケース半体２２に対しピン８５を介してほぼ水平な軸回りに回転可能に支持されている。なおピン８５は、前側のケース半体２２に設けられた軸受部２８によって支持されている。
【００３４】
図５において、前記球送出体７０の後端部（図５において上端部）には、払出用モータ８６の出力軸８６ａがトルク伝達可能に嵌合されている。払出用モータ８６には、正逆回転可能なモータ、例えばステッピングモータが用いられている。払出用モータ８６は、前記後側のケース半体３２の後側（図３において左側）に組付けられ、前記カバー２０Ａによって覆われている（図３参照）。また払出用モータ８６は、前記メイン制御基板（図示しない）又は枠制御基板８４（図３参照）から出力される払出信号に基づいて回転制御されるとともに、貸球機（図示しない）から出力される払出信号に基づいて回転制御される。
【００３５】
図１７に球送出体７０の斜視図、図１８に同じく正面図、図１９に同じく側断面図、図２０に同じく背面図が示されている。図１７及び図１９に示すように、球送出体７０は、例えば樹脂成形によって形成されており、軸部７０Ａの前半部に前後（図１９において右左）に並ぶ前側のスプロケット部７１及び後側のスプロケット部７５を有している。前側のスプロケット部７１の外周部には、複数個（例えば、３個）のほぼ凹形状の球受部７２が所定の間隔（例えば、３個の場合は１２０°の間隔）で形成されている（図１８参照）。また、後側のスプロケット部７５の外周部には、複数個（例えば、３個）のほぼ凹形状の球受部７６が所定の間隔（例えば、３個の場合は１２０°の間隔）で形成されている（図２０参照）。しかして、前側のスプロケット部７１の各球受部７２と後側のスプロケット部７５の各球受部７６との位相は、相互に半ピッチ（例えば、３個の場合、６０°）分ずれている（図１８及び図２０参照）。
【００３６】
前記球送出体７０の軸部７０Ａの前端部には、ピン孔７０ａが形成されている（図１８及び図１９参照）。また、球送出体７０の軸部７０Ａの後端部には、軸孔７０ｂが形成されている（図１９及び図２０参照）。そして、図５に示すように、球送出体７０のピン孔７０ａには前記ピン８５が同心状に嵌合され、また軸孔７０ｂには前記払出用モータ８６の出力軸８６ａが同心状に嵌合されている。
【００３７】
図５において、前記球送出体７０と払出用モータ８６の出力軸８６ａとの嵌合に先立って、その出力軸８６ａには位置検出部材８７がトルク伝達可能に嵌合されている。また図２に示すように、位置検出部材８７の外周部には、前記球送出体７０（図１７参照）における前記両スプロケット部７１，７５の各球受部７２，７６の個数をそれぞれ合計した数（本実施の形態の場合、６個）と同数の被検出部８７ａがほぼフランジ状に形成されている。
【００３８】
図２及び図５に示すように、前記後側のケース半体３２の後側（図５において上側）には、払出数検出器８８が配設されている。払出数検出器８８は、例えばフォトセンサからなり、前記位置検出部材８７の各被検出部８７ａを光学的に検出する。払出数検出器８８によって位置検出部材８７の各被検出部８７ａを検出した信号（言い換えれば、球Ｂの払出数に応じた信号）は、前記メイン制御基板（図示しない）や枠制御基板８４（図３参照）に出力される。すなわち、賞球数あるいは貸球数に対応する信号に基づいて、払出用モータ８６が駆動されるにともない球送出体７０が所定方向に回転されると、前記前後２列の上部球通路４０（図３参照）から球振分け室４５の上流側の端口（下部球供給口ともいう）４５ａに流下した球Ｂが、球送出体７０の前後の両スプロケット部７１，７５の各球受部７２，７６（図８参照）に上死点において１個ずつ受けられたのち、賞球用通路５０又は貸球用通路５３に振分けて払出される。そして、払出数検出器８８（図５参照）によって検出された位置検出部材８７の被検出部８７ａの個数が球Ｂの払出個数と対応したときは、払出用モータ８６が停止されひいては球送出体７０の回転が停止される。
【００３９】
しかして、前記球送出体７０の各球受部７２，７６（図１７参照）は、上死点において受けた球Ｂを球送出体７０の回転によって次の球受部７２又は７６が上死点に達するまでに放出するように形成されている。すなわち、図１８及び図２０に示すように、各球受部７２，７３の回転方向の前方又は後方の壁面は、球送出体７０の回転によって次の球受部７２又は７６が上死点に達するまでに球Ｂを放出可能な斜面を形成する傾斜壁面７２ａ，７６ａとなっている。さらに、傾斜壁面７２ａ，７６ａは、各球受部７２，７６の半径方向外方に向かって下る斜面を形成する。
【００４０】
また、前記球送出体７０の回転によって、各球受部７２，７６の球Ｂが前記賞球用通路５０又は前記貸球用通路５３（図８参照）に振分けて払出されるときは、球Ｂが前後２列で払出されるが、その放出された球Ｂは、図３に示すように、１列の賞球用通路５０又は貸球用通路５３にて合流する。このため、図４に図２のＩＶ−ＩＶ線断面図を示すように、両ケース半体２２，３２の前後の壁部（符号、２２ａ，３２ａを付す）が、球振分け室４５から賞球用通路５０（及び貸球用通路５３）に掛けてほぼテーパ状に屈曲されている。
【００４１】
図８に示すように、前記球振分け室４５の両通路側壁４６の上流側の端部には、下部球供給口４５ａを形成する両通路側壁４７が下方に延出されている。下部球供給口４５ａは、前記中仕切板３１の下端縁中央部に突出する仕切片３１ａによって前後に区画されている。なお下部球供給口４５ａは、前記上部供給口４０ｂから流下した球Ｂを球送出体７０の球受部７２，７６に放出するものであるから、上部球通路４０の一部を構成するものとする。
【００４２】
図８において、両ケース半体２２，３２には、球振分け室４５の両通路側壁４７を含む両通路側壁４６の上半部を取り囲む下部開口孔２７，３７が形成されている。また、両通路側壁４６の通路側壁４７を含む上半部は、それぞれ片持ち状をなす第２の撓み片４８として、その横幅（図３において左右方向の幅）の小さい突片状に一体形成されており、それ自体が球通路（本実施の形態の場合、下部球供給口４５ａが相当する）の上流方向へ弾性変形いわゆる撓み変形可能になっている。なお図８には、両側壁の各第２の撓み片４８の弾性変形状態が二点鎖線４８で示されている。また、各第２の撓み片４８は、図１３〜図１６によく示されている。
【００４３】
上記のように形成された第２の撓み片４８は、本明細書でいう「縦変位部を球通路の上流方向へ変位可能とする弾性を有する縦変位側の球噛み防止部」に相当する。また、通路側壁４７は本明細書でいう「球通路の下流側端部の一部を形成する縦変位部」に相当する。
【００４４】
図１３及び図１５に示すように、両通路側壁４７の下端部の外側面には先細りのテーパ状をなす斜面４７ａが形成されている。これにより、両第２の撓み片４８の下流側端部に、球通路（下部球供給口４５ａ）側において下流方向へ突出する突出部（符号、４７Ａを付す）が断面先鋭状に形成されている。
【００４５】
図８に示すように、前記賞球用通路５０には、その通路に払出された球Ｂを検出する賞球用検出器８１が配設されている（図４参照）。賞球用検出器８１による球Ｂの検出信号は、前記メイン制御基板（図示しない）と枠制御基板８４（図３参照）に出力される。また、前記貸球用通路５３には、その通路に払出された球Ｂを検出する貸球用検出器８２が前記賞球用検出器８１と同様にして配設されている。貸球用検出器８２による球Ｂの検出信号は、球貸機（図示しない）と枠制御基板８４（図３参照）に出力される。なお、図示しない球貸機は、パチンコ機１の前側（図１において紙面裏側）の所定位置に配設されている。また、前記賞球用検出器８１及び前記貸球用検出器８２はそれぞれ近接スイッチ等よりなる。
【００４６】
そして、賞球数あるいは貸球数に対応する数の球Ｂに対し、前記賞球用検出器８１あるいは前記貸球用検出器８２において検出される検出個数が不足する場合には、その不足に相当する信号が払出用モータ８６に出力されることによって、球送出体７０が不足数に対応する分だけ所定方向に回転され、所要の数の球Ｂが不足なく払出される。
【００４７】
図８に示すように、前記賞球用通路５０と前記貸球用通路５３とは、その下流の合流通路５７において合流している。その合流通路５７における下流部には、通路切換部材９０が配設されている。通路切換部材９０は、前記合流通路５７を流下してきた球Ｂを払出用通路６０又は球抜通路６８に選択的に誘導する機能を備えるもので、前記前側のケース半体２２と前記後側のケース半体３２との間に架設されたピン９１を介してほぼ水平な軸回りに回転可能に支持されている。なお、前記ピン９１は、両ケース半体２２，３２に設けられた各ピン受け部２９，３９によって支持されている（図３参照）。
【００４８】
図３に示すように、前記通路切換部材９０の後端部（図３において左端部）には、切換ソレノイド９２の作動軸９２ａが係合されている。切換ソレノイド９２は、前記後側のケース半体３２の後側（図３において左側）に組付けられ、前記カバー２０Ａによって覆われている。また、切換ソレノイド９２は、球抜用スイッチ（図示しない）のオンオフに基づいて、通路切換部材９０を二位置に位置変更させる。すなわち、図８に実線９０で示すように、切換ソレノイド９２のオフによって通路切換部材９０が払出用通路６０を開いて球抜通路６８を閉じたときには、前記合流通路５７の球Ｂが払出用通路６０に流れる。また、図８に二点鎖線９０で示すように、切換ソレノイド９２のオンによって通路切換部材９０が払出用通路６０を閉じて球抜通路６８を開いたときには、前記合流通路５７の球Ｂが球抜通路６８に流れる。
【００４９】
図７に示すように、払出用通路６０の下流側に連通する分岐通路６２の中央部には、上部案内壁６３が形成されている。また図３に示すように、前側のケース半体２２には、払出用通路６０を流下して上部案内壁６３上に載る球Ｂを上皿（図示しない）へ排出する上部球出口３０Ａが設けられている。上部案内壁６３の上面６３ａは、上部球出口３０Ａに向かって下方に傾斜する斜面に形成されている。
【００５０】
また図７に示すように、分岐通路６２の下端中央部には、下部案内壁６４が形成されている。また図３に示すように、前側のケース半体２２には、上部案内壁６３からこぼれて下部案内壁６４上に載る球Ｂを下皿（図示しない）へ排出する下部球出口３０Ｂが設けられている。下部案内壁６４の上面６４ａは、下部球出口３０Ｂに向かって下方に傾斜する斜面に形成されている。
【００５１】
また図７に示すように、前記合流通路５７に連通する球抜通路６８の下端部には球抜案内壁６５が形成されている。また図３に示すように、前側のケース半体２２には球抜通路６８を流下して球抜案内壁６５上に載る球Ｂを機外へ排出する球抜口２２Ａが設けられている。球抜案内壁６５の上面６５ａは、球抜口２２Ａに向かって下方に傾斜する斜面に形成されている。
【００５２】
上記したパチンコ機１（図１参照）において、その前側（図１において紙面裏側）に配設されている球貸機（図示しない）が作動されると、その貸球機から貸球数に対応する数の信号が枠制御基板８４（図３参照）に出力される。これに基づいて、その枠制御基板８４から出力される払出信号によって、球払出装置２０（図３参照）の払出用モータ８６が図３において時計方向に回転制御される。このとき、通路切換部材９０は、図８に実線９０で示すように、払出用通路６０を開いて球抜通路６８を閉じている。
【００５３】
すると、球送出体７０が図８において時計方向（図中、矢印Ｙ１参照）にかつ貸球数に対応する回転角度をもって回転される。これにより、球送出体７０における両スプロケット部７１，７５の各球受部７２，７６が、上部球通路４０から供給される球Ｂを受けた後、その球Ｂを貸球用通路５３に振分けて放出する。
【００５４】
詳しく述べると、いま、図８に示すように、球送出体７０が停止状態にあるとすると、球送出体７０における後側のスプロケット部７５の上死点に位置する球受部７６（説明の都合上、符号（Ａ）を付記する）に、上部球通路４０から上部球供給口４０ｂ及び球振分け室４５の下部球供給口４５ａを通った球Ｂが受けられている。
【００５５】
これより、球送出体７０が図８において時計方向（図中、矢印Ｙ１参照）に１ピッチ分回転される。なお、ここでいう１ピッチとは、両スプロケット部７１，７５の球受部７２，７６を合わせた１ピッチであり、本実施の形態における６個の場合は６０°となる。すると、図１１に示す状態となる。この状態では、次の球受部すなわち図８において上死点にあった後側のスプロケット部７５の球受部７６（Ａ）の左隣に位置する前側のスプロケット部７１の球受部７２（説明の都合上、符号（Ｂ）を付記する）が上死点に達する。これにより、その球受部７２（Ｂ）に対し球振分け室４５の下部球供給口４５ａを通った次の球Ｂが落下して受けられる。
【００５６】
しかして、前側のスプロケット部７１の球受部７２（Ｂ）が上死点に達するまでには、前記後側のスプロケット部７５の球受部７６（Ａ）の回転方向の前方の傾斜壁面７６ａが半径方向外方に向かって下る斜面を形成するため、その球受部７６（Ａ）に受けられていた球Ｂは、傾斜壁面７６ａを転がって貸球用通路５３に放出され落下する。
【００５７】
さらに、球送出体７０が図１１において時計方向（図中、矢印Ｙ１参照）に１ピッチ分回転されると、図１２に示す状態となる。この状態では、次の球受部すなわち図１１において上死点にあった前側のスプロケット部７１の球受部７２（Ｂ）の左隣に位置する後側のスプロケット部７５の球受部７６（説明の都合上、符号（Ｃ）を付記する）が上死点に達する。これにより、その球受部７６（Ｃ）に対し球振分け室４５の下部球供給口４５ａを通った次の球Ｂが落下して受けられる。しかして、後側のスプロケット部７５の球受部７６（Ｃ）が上死点に達するまでには、前記前側のスプロケット部７１の球受部７２（Ｂ）の回転方向の前方（図１２において右側）の傾斜壁面７２ａが半径方向外方に向かって下る斜面を形成するため、その球受部７２（Ｂ）に受けられていた球Ｂは、その傾斜壁面７２ａを転がって貸球用通路５３に放出され落下する。
【００５８】
上記の繰り返しによって、順次、貸球用通路５３に放出され落下する球Ｂは、合流通路５７を通って払出用通路６０に払出される。なお、貸球用通路５３を落下する球Ｂは、貸球用検出器８２によって検出される。その貸球用検出器８２による球Ｂの検出信号は、前にも述べたように、前記球貸機（図示しない）と前記枠制御基板８４（図３参照）に出力される。そして、貸球数に対応する数の球Ｂに対し、貸球用検出器８２（図８参照）において検出される検出個数が不足する場合には、その不足に相当する信号が払出用モータ８６に出力されることによって、球送出体７０が不足数に対応する分だけ図８において矢印Ｙ１方向に回転し、所要の数の球Ｂが不足なく払出される。
【００５９】
また、払出用通路６０に払出された球Ｂは、図７に示される分岐通路６２に落下し、払出用通路６０の直下に位置する上部案内壁６３上から上部球出口３０Ａ（図３参照）を転がり、最終的に上皿（図示しない）に払出される。
【００６０】
また、遊技盤（図示しない）の遊技領域に発射された球Ｂが入賞口に流入すると、その球Ｂが入賞口の検出器（図示しない）によって検出される。これに基づいて、その検出器から出力される信号がメイン制御基板（図示しない）に出力されると、そのメイン制御基板（図示しない）から出力される賞球数に対応する数の信号が枠制御基板８４（図３参照）に出力される。さらに、その枠制御基板８４から出力される払出信号によって球払出装置２０（図３参照）の払出用モータ８６が、貸球の払出時の回転方向と逆方向、すなわち図３において反時計方向に回転制御される。
【００６１】
すると、球送出体７０が図８において反時計方向（図中、矢印Ｙ２参照）にかつ賞球数に対応する回転角度をもって回転される。これにより、球送出体７０における両スプロケット部７１，７５の各球受部７２，７６が、上部球通路４０から供給される球Ｂを受けた後、その球Ｂを賞球用通路５０に振分けて放出する。
【００６２】
詳しく述べると、いま、図８に示すように、球送出体７０が停止状態にあるとすると、前に述べたように、球送出体７０における後側のスプロケット部７５の上死点に位置する球受部７６（Ａ）に、上部球通路４０から上部球供給口４０ｂ及び振分け室４５の下部球供給口４５ａを通った球Ｂが受けられている。
【００６３】
これより、球送出体７０が図８において反時計方向（図中、矢印Ｙ２参照）に１ピッチ分回転される。すると、図９に示す状態となる。この状態では、次の球受部すなわち図８において上死点にあった後側のスプロケット部７５の球受部７６（Ａ）の右隣に位置する前側のスプロケット部７１の球受部７２（説明の都合上、符号（ｂ）を付記する）が上死点に達する。これにより、その球受部７２（ｂ）に対し球振分け室４５の下部球供給口４５ａを通った次の球Ｂが落下して受けられる。
【００６４】
しかして、前側のスプロケット部７１の球受部７２（ｂ）が上死点に達するまでには、前記後側のスプロケット部７５の球受部７６（Ａ）の回転方向の前方の傾斜壁面７６ａが半径方向外方に向かって下る斜面を形成するため、その球受部７６（Ａ）に受けられていた球Ｂは、傾斜壁面７６ａを転がって賞球用通路５０に放出され落下する。
【００６５】
さらに、球送出体７０が図９において反時計方向（図中、矢印Ｙ２参照）に１ピッチ分回転されると、図１０に示す状態となる。この状態では、次の球受部すなわち図９において上死点にあった前側のスプロケット部７１の球受部７２（ｂ）の左隣に位置する後側のスプロケット部７５の球受部７６（説明の都合上、符号（ｃ）を付記する）が上死点に達する。これにより、その球受部７６（ｃ）に対し球振分け室４５の下部球供給口４５ａを通った次の球Ｂが落下して受けられる。しかして、後側のスプロケット部７５の球受部７６（ｃ）が上死点に達するまでには、前記前側のスプロケット部７１の球受部７２（ｂ）の回転方向の前方（図９において左側）の傾斜壁面７２ａが半径方向外方に向かって下る斜面を形成するため、その球受部７２（ｂ）に受けられていた球Ｂは、その傾斜壁面７２ａを転がって賞球用通路５０に放出され落下する。
【００６６】
上記の繰り返しによって、順次、賞球用通路５０に放出され落下する球Ｂは、合流通路５７を通って払出用通路６０に払出される。なお、賞球用通路５０を落下する球Ｂは、賞球用検出器８１によって検出される。その賞球用検出器８１による球Ｂの検出信号は、前にも述べたように、前記メイン制御基板（図示しない）と前記枠制御基板８４（図３参照）に出力される。そして、賞球数に対応する数の球Ｂに対し、賞球用検出器８１（図８参照）において検出される検出個数が不足する場合には、その不足に相当する信号が払出用モータ８６に出力されることによって、球送出体７０が不足数に対応する分だけ図８において矢印Ｙ２方向に回転し、所要の数の球Ｂが不足なく払出される。
【００６７】
ところで、球送出体７０（図８参照）の矢印Ｙ１方向又は矢印Ｙ２方向への回転時において、各球受部７２，７６に受けた球Ｂが当該球受部に適正に受けられていない場合、下部球供給口４５ａにおける一方（すなわち、球送出体７０の回転方向前方）の第２の撓み片４８の通路側壁４７の下側に球Ｂ（詳しくは、球Ｂの一部）が入り込むと「球噛み」を発生することがある。
【００６８】
このような場合には、第２の撓み片４８の通路側壁４７の下側に入り込んで噛み込まれる球Ｂが、球送出体７０の回転にともなって下部球供給口４５ａの上流方向へ押上げられる。これにともない、第２の撓み片４８の通路側壁４７が、その第２の撓み片４８の弾性を利用して下部球供給口４５ａの上流方向へ一時的に変位（図８中、二点鎖線４８参照）して球噛み状態を回避する。また、その第２の撓み片４８の弾性復元により球噛みを発生する球Ｂが球送出体７０の球受部７２，７６の正位置に押し戻されて適正に受けられることにより、球噛みの発生が防止される。
【００６９】
これとともに、第２の撓み片４８の上流側に位置する第１の撓み片４２の内側に位置しかつ球圧が加わった状態で待機している数個（例えば３〜５個）の球Ｂが、前記球噛みを発生する球Ｂからの反力を受けると、球送出体７０の回転にともなって上部球通路４０の外側方向へ交互に押し退けられる。これにともない、両第１の撓み片４２が、その弾性を利用して上部球通路４０の外側方向へ一時的に変位（図８中、二点鎖線４２参照）して、前記数個の球Ｂが横ずれする。これにより、上方に球圧が加わった状態で待機している多くの球が存在するにもかかわらず、球噛みを発生する球Ｂの上方への移動が可能となる。その結果、球Ｂは球噛み状態を回避しつつ球送出体７０の球受部７２，７６の正位置に押し戻され適正に受けられて球噛みの発生が防止される。なお、両第１の撓み片４２の復帰により、待機している球Ｂのずれが修正される。上記したように、第１の撓み片４２と第２の撓み片４８との協働によって、球噛みの発生が効果的に防止される。
【００７０】
また、払出用通路６０（図７参照）に払出された球Ｂは、分岐通路６２に落下し、払出用通路６０の直下に位置する上部案内壁６３上から上部球出口３０Ａ（図３参照）を転がり、上皿（図示しない）に払出される。
【００７１】
また、上皿（図示しない）が貸球や賞球の球Ｂで満杯状態となり、その球Ｂが上部球出口３０Ａ（図３参照）に留まることがある。この状態では、払出用通路６０に払出された球Ｂが分岐通路６２（図７参照）の上部案内壁６３に当たり側方へ転がった後、分岐通路６２の底部に位置する下部案内壁６４上から下部球出口３０Ｂ（図３参照）を転がり、下皿（図示しない）に払出される。
【００７２】
また、球タンク１６及びタンクレール１７（図１参照）並びに球払出装置２０の上部球通路４０（図７参照）にある球Ｂを機外に排出する場合には、球抜用スイッチ（図示しない）をオンする。すると、その球抜用スイッチの信号が前記メイン制御基板（図示しない）から枠制御基板８４（図３参照）に出力される。これに基づいて、枠制御基板８４（図３参照）から出力される信号によって、通路切換部材９０が払出用通路６０を閉じて球抜通路６８を開いた状態（図８の二点鎖線９０参照）に切換えられるとともに、払出用モータ８６（図３参照）がいずれかの方向へ回転制御される。
【００７３】
これによって、球タンク１６及びタンクレール１７（図１参照）並びに球払出装置２０の上部球通路４０（図７参照）にある球Ｂが、賞球用通路５０又は払出用通路６０に払出され、合流通路５７を通じて球抜通路６８（図７参照）に流下する。球抜通路６８に払出された球Ｂは、球抜案内壁６５上から球抜口２２Ａ（図３参照）を転がり、機外に排出される。
【００７４】
また、第２の撓み片４８の通路側壁４７が、下部球供給口４５ａの一部を形成している。これにより、下部球供給口４５ａに対し球噛みを発生する球Ｂが通路側壁４７の下流側端部に当接する。したがって、通路側壁４７によって、球噛みを発生する球Ｂ自体を直接的に球送出体７０の球受部７２，７６に押し戻すことができる。
【００７５】
また、下部球供給口４５ａに対し球噛みを発生する球Ｂが、第２の撓み片４８の通路側壁４７に設けられた突出部４７Ａによって堰き止められることにより、第２の撓み片４８の通路側壁４７の下流側端面への球Ｂの回り込みが防止される。これにより、球噛みの発生を効果的に防止することができる。
【００７６】
また、第１の撓み片４２及び第２の撓み片４８は、それ自体が弾性変形可能に形成されている。このため、各撓み片４２，４８のそれ自体の弾性変形によって、球噛みの発生を防止することができる。
【００７７】
また、第１の撓み片４２及び第２の撓み片４８を球払出装置２０の各ケース半体２２，３２に対し片持ち状に設けるといった簡単な構成によって、その各撓み片４２，４８に弾性を付与することができる。
【００７８】
また、第１の撓み片４２及び第２の撓み片４８が、球払出装置２０の各ケース半体２２，３２と一体に形成されている。このため、第１の撓み片４２及び第２の撓み片４８を、球払出装置２０の各ケース半体２２，３２に別部材を使用することなく設けることができる。これにより、部品点数を削減し、コストを低減することができる。
【００７９】
また、球払出装置２０（図７参照）は、球送出体７０の正逆回転によって、上死点において球受部７２，７６（図８参照）に受けた球Ｂを次の球受部７２又は７６が上死点に達するまでに放出する。したがって、従来例と異なり、球送出体７０の反転時において各球受部７２，７６に残される残り球Ｂがなく、その残り球Ｂの存在により球送出体７０の回転が阻まれることがなくなる。このため、球送出体７０の各球受部７２，７６が上死点において球Ｂを受ける形態でありながら球送出体７０を正逆回転させて球Ｂを払出すことができる。
【００８０】
また、球送出体７０の回転によって次の球受部７２又は７６（図８参照）が上死点に達するまでに、その先の球受部７２又は７６の各傾斜壁面７２ａ，７６ａが球Ｂを放出可能な斜面を形成する（図９〜図１２参照）。このため、球受部７２又は７６に受けた球Ｂが傾斜壁面７２ａ，７６ａ上を転がることにより、球受部７２，７６から球Ｂを容易に放出させることができる。
【００８１】
また、各球受部７２，７６の傾斜壁面７２ａ，７６ａ（図１８参照）が半径方向外方に向かって下る斜面を形成するため、球送出体７０の回転による遠心力を利用して、各球受部７２，７６から球Ｂを容易に放出させることができる。
【００８２】
また、複数列の球通路（上部球通路４０が相当する）について、１つの球送出体７０の回転により、隣合う列の球受部７２又は７６（図１７参照）から交互に球Ｂを払出すことにより、球送出体７０の反転時において各球受部７２，７６に残される残り球Ｂがなく、その残り球Ｂの存在により球送出体７０の回転が阻まれることがなくなる。
【００８３】
また、球送出体７０の各球受部７２，７６の個数を少なくし（例えば１列の球通路につき３個）とし、さらに各球受部７２，７６を浅く形成している。これにより、球送出体７０が１ピッチ分以上回転するまでにおいて早い時期に各球受部７２，７６の球Ｂを放出することができる。なお、この実施の形態では、下部球供給口４５ａから各球受部７２，７６に受けられる球Ｂには、上部球通路４０に待機している球Ｂの球圧が作用しているため、浅い球受部でも球Ｂをこぼすことなく受けることができる。
【００８４】
［実施の形態２］この発明の実施の形態２を図面にしたがって説明する。
なお、実施の形態２以降の各実施の形態は、実施の形態１における第１の撓み片４２及び／又は第２の撓み片４８に変更を加えたものであるからその変更部分について詳述し、同一部位には同一符号を付して重複する説明は省略する。図２１に図８に準ずる要部断面図が示されている。図２１に示すように、この実施の形態では、実施の形態１（図８参照）における各ケース半体２２，３２から両第１の撓み片４２が排除されている。すなわち、各ケース半体２２，３２には上部開口孔２６，３６（図８参照）が形成されておらず、上部球通路４０の両通路側壁４１の下端部（符号、２４１を付す）が各ケース半体２２，３２とつながっており、その下端部２４１が各ケース半体２２，３２に固定されている。したがって、実施の形態２によると、実施の形態１（図８参照）に比べて、両第１の撓み片４２が排除される分、各ケース半体２２，３２の成形が簡単になる。また、各ケース半体２２，３２に対し上部開口孔２６，３６（図８参照）が形成されていないことと、各ケース半体２２，３２に対し上部球通路４０の両通路側壁４１の下端部２４１が固定されていることによって、各ケース半体２２，３２の強度を高めることができる。
【００８５】
［実施の形態３］この発明の実施の形態３を図面にしたがって説明する。
図２２に図８に準ずる要部断面図が示されている。図２２に示すように、この実施の形態では、実施の形態１（図８参照）における各ケース半体２２，３２から両第２の撓み片４８が排除されている。すなわち、各ケース半体２２，３２には下部開口孔２７，３７（図８参照）が形成されておらず、球振分け室４５の両通路側壁４６の上半部（符号、３４６を付す）が各ケース半体２２，３２とつながっており、その上半部３４６が各ケース半体２２，３２に固定されている。さらに、実施の形態１（図８参照）における両第２の撓み片４８の通路側壁４７に相当する通路側壁（符号、３４７を付す）は、両通路側壁４６の上半部３４６から排除される代わりに、両第１の撓み片４２に対し一体に形成されている。これとともに、各ケース半体２２，３２の上部開口孔２６，３６が通路側壁３４７を取り囲むように形成されている。
【００８６】
実施の形態３によると、通路側壁３４７を有する第１の撓み片４２が、下部球供給口４５ａの一部を形成している。これにより、下部球供給口４５ａに対し球噛みを発生する球Ｂが第１の撓み片４２の下側に入り込むような場合には、第１の撓み片４２の下側に入り込んで噛み込まれる球Ｂが、球送出体７０の回転にともなって下部球供給口４５ａの外側方向へ押し退けられる。これにともない、第１の撓み片４２の通路側壁３４７が、その第１の撓み片４２の弾性を利用して下部球供給口４５ａの外側方向へ一時的に変位（図２２中、二点鎖線３４７参照）して球噛み状態を回避する。また、その第１の撓み片４２の弾性復元により球噛みを発生する球Ｂが球送出体７０の球受部７２，７６の正位置に押し戻されて適正に受けられることにより、球噛みの発生が防止される。
【００８７】
また、第１の撓み片４２の通路側壁３４７が、下部球供給口４５ａの一部を形成している。これにより、下部球供給口４５ａに対し球噛みを発生する球Ｂが通路側壁３４７の下流側端部に当接する。したがって、通路側壁３４７によって、球噛みを発生する球Ｂ自体を直接的に球送出体７０の球受部７２，７６に押し戻すことができる。
【００８８】
また、第１の撓み片４２の通路側壁３４７の下流側端部には、下部球供給口４５ａ側において下流方向へ突出する突出部４７Ａ（図８参照）と同様の突出部（符号、３４７Ａを付す）が設けられている。これにより、下部球供給口４５ａに対し球噛みを発生する球Ｂが、第１の撓み片４２に設けられた突出部３４７Ａによって堰き止められることにより、第１の撓み片４２の通路側壁３４７の下流側端面への球Ｂの回り込みが防止される。これにより、球噛みの発生を効果的に防止することができる。
【００８９】
［実施の形態４］この発明の実施の形態４を図面にしたがって説明する。
図２３に図８に準ずる要部断面図が示されている。図２３に示すように、この実施の形態では、実施の形態１（図８参照）における両第１の撓み片４２に代えて、ゴム、コイルスプリング等の弾性材料によってそれぞれ形成された両第１の撓み片（符号、４４２を付す）を上部球通路４０の通路側壁４１に接続している。また、実施の形態１（図８参照）における両第２の撓み片４８に代えて、ゴム、ばね等の弾性体によってそれぞれ形成された両第２の撓み片（符号、４４８を付す）を振分け室４５の通路側壁４６に接続している。上記のように構成すると、両第１の撓み片４４２及び両第２の撓み片４４８を各ケース半体２２、３２と別の弾性部材によって形成することができる。
【００９０】
［実施の形態５］この発明の実施の形態５を図面にしたがって説明する。
図２４に図２３に準ずる要部断面図が示されている。図２４に示すように、この実施の形態では、実施の形態４（図２３参照）における両第１の撓み片４４２の先端部が、硬質樹脂等の非弾性体による先端部材５４２で形成されている。また、実施の形態４（図２３参照）における両第２の撓み片４４８の通路側壁４７が硬質樹脂等の非弾性部材による通路側壁５４７で形成されている。上記のように構成すると、両第１の撓み片４４２及び両第２の撓み片４４８を弾性部材と非弾性部材との複合構造によって形成することができる。
【００９１】
本発明は前記実施の形態に限定されるものではなく、本発明の要旨を逸脱しない範囲における変更が可能である。
例えば、本発明は、上記実施の形態の球払出装置２０を備えるパチンコ機１に限定されるものではなく、球噛みを発生する可能性のある球払出装置を備える遊技機に適用することができる。また、上記実施の形態では、球送出体７０の球受部７２，７６が球Ｂを上死点において受けるものを例示したが、その球受部７２，７６は上死点に限らずその他の位置において球Ｂを受けるものであってもよい。
【００９２】
また、各撓み片４２，４８は、両ケース半体２２，３２に代えて、例えば中仕切板３１を球払出装置２０の固定側の部材として設けることができる。この場合、中仕切板３１は樹脂成形によって形成するとよい。また、各撓み片４２，４８の各変位部は、球通路４０の通路側壁４１の下流側端部の一部を形成するもの限らず、球通路４０の通路途上における通路側壁の一部を形成するものでもよい。また、上記実施の形態では上部球通路４０の通路側壁４１の下端部を第１の撓み片４２として構成したが、その通路側壁４１の下端部を含む長い領域を第１の撓み片４２として構成することもでき、第１の撓み片４２を撓み変更可能とする領域は限定されるものではない。また、上記実施の形態では球振分け室４５の通路側壁４６の上半部を第２の撓み片４８として構成したが、その通路側壁４６の下端部を含む長い領域を第２の撓み片４８として構成することもでき、第２の撓み片４８の撓み変更可能とする領域は限定されるものではない。
【００９３】
また、第１の撓み片４２の突出部４１Ａ（図１３及び図１５参照）を斜面４２ａによって形成したが、その斜面４２ａの形状は限定されない。例えば、斜面４２ａを、凸型円弧状や凹型円弧状の曲面や、１段あるいは複数段の段付面に形成することが考えられる。また同様に、第２の撓み片４８の通路側壁４７の突出部４７Ａ（図１３及び図１５参照）を斜面４７ａによって形成したが、その斜面４７ａの形状は限定されない。例えば、斜面４７ａを、凸型円弧状や凹型円弧状の曲面や、１段あるいは複数段の段付面に形成することが考えられる。
【００９４】
また、第１の撓み片４２の突出部４１Ａの先端縁の形状は、その撓み片４２の幅方向（図１４及び図１６において左右方向の幅）に関し直線状に形成したが、その形状は限定されない。例えば、突出部４１Ａの先端縁を、Ｖ字状、凸型円弧状、鋸刃状等に形成することが考えられる。また同様に、第２の撓み片４８の突出部４７Ａの先端縁の形状は、その撓み片４８の幅方向（図１４及び図１６において左右方向の幅）に関し直線状に形成したが、その形状は限定されない。例えば、突出部４７Ａの先端縁を、Ｖ字状、凸型円弧状、鋸刃状等に形成することが考えられる。
【符号の説明】
【００９５】
１  パチンコ機（遊技機）
２０  球払出装置
２２，３２  ケース半体（固定側の部材）
４０  上部球通路（球通路）
４０ｂ  上部球供給口
４１  通路側壁
４１Ａ  突出部
４２  第１の撓み片（横変位側の球噛み防止部又は横変位部）
４５  球振分け室
４５ａ  下部球供給口
４７  通路側壁（縦変位部）
４７Ａ  突出部
４８  第２の撓み片（縦変位側の球噛み防止部）
７０  球送出体
７２，７６  球受部
Ｂ  球
【図１】
2010115521.tif 000003
【図２】
2010115521.tif 000004
【図３】
2010115521.tif 000005
【図４】
2010115521.tif 000006
【図５】
2010115521.tif 000007
【図６】
2010115521.tif 000008
【図７】
2010115521.tif 000009
【図８】
2010115521.tif 000010
【図９】
2010115521.tif 000011
【図１０】
2010115521.tif 000012
【図１１】
2010115521.tif 000013
【図１２】
2010115521.tif 000014
【図１３】
2010115521.tif 000015
【図１４】
2010115521.tif 000016
【図１５】
2010115521.tif 000017
【図１６】
2010115521.tif 000018
【図１７】
2010115521.tif 000019
【図１８】
2010115521.tif 000020
【図１９】
2010115521.tif 000021
【図２０】
2010115521.tif 000022
【図２１】
2010115521.tif 000023
【図２２】
2010115521.tif 000024
【図２３】
2010115521.tif 000025
【図２４】
2010115521.tif 000026
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
球を受ける球受部を有する球送出体の回転によって、球通路の球供給口から供給される球を前記球受部に受けて払出す球払出装置を備え、
前記払出装置には、横変位側の球噛み防止部が設けられ、
前記横変位側の球噛み防止部は、前記球通路の一部を形成する横変位部を備えるとともに、その横変位部を前記球通路の外側方向へ変位可能とする弾性を有している遊技機。
【請求項２】
前記横変位側の球噛み防止部の下流側に位置する、縦変位側の球噛み防止部が設けられ、
前記縦変位側の球噛み防止部は、前記球通路の下流側端部の一部を形成する縦変位部を備えるとともに、その縦変位部を前記球通路の上流方向へ変位可能とする弾性を有している請求項１に記載の遊技機。
【請求項３】
前記縦変位部又は前記横変位部は、前記球供給口の一部を形成している請求項１または２のずれか一つに記載の遊技機。
【請求項４】
前記縦変位部又は前記横変位部の下流側端部には、球供給口側において下流側へ突出する突出部が設けられている請求項１〜３のいずれか一つに記載の遊技機。
【請求項５】
前記縦変位側の球噛み防止部及び／又は前記横変位側の球噛み防止部は、それ自体が弾性変形可能に形成されている請求項１〜４のいずれか一つに記載の遊技機。
【請求項６】
前記縦変位側の球噛み防止部及び／又は前記横変位側の球噛み防止部が、前記球払出装置の固定側の部材に対し片持ち状に設けられている請求項１〜５のいずれか一つに記載の遊技機。
【請求項７】
前記縦変位側の球噛み防止部及び／又は前記横変位側の球噛み防止部が、前記球払出装置の固定側の部材と一体に形成されている請求項１〜６のいずれか一つに記載の遊技機。